(57)【要約】      （修正有）【課題】原稿を原稿載置面に載置する作業を利用者に正しく迅速に行わせ、原稿読取作業の作業性を高める。【解決手段】原稿読取装置１１のコンタクトガラスの下方に表示光源配列５５、５６、５７、５８を設け、表示光源配列５５、５６、５７、５８のうちのいずれかから発せられる表示光により原稿載置面における原稿載置領域を表示する。これらの表示光源配列は、原稿サイズごとに設定された複数の原稿載置領域にそれぞれ対応しており、原稿載置領域を表示する表示光源配列の選択は、利用者により設定された原稿サイズに基づいて行う。また、利用者がコンタクトガラスを覆う蓋部を開けたときに表示光源配列を点灯させるモードと、原稿載置面に載置された原稿が原稿載置領域からはみ出したときに表示光源配列を点灯させるモードとを用意する。【選択図】図７
2016219953.tif 000002
【特許請求の範囲】
【請求項１】
光透過性を有し、上面に原稿を載置する原稿載置面が形成された原稿載置部と、
前記原稿載置部の外周部を支持し、前記原稿載置部の下方に収容空間を形成する収容部と、
前記収容空間に設けられた原稿読取部と、
前記原稿載置部の外周側または前記収容空間に設けられ、表示光を発することにより、前記原稿載置面内において前記原稿を載置する領域である原稿載置領域を表示する原稿載置領域表示部と、
前記原稿読取部が読み取る前記原稿の原稿サイズを示す原稿サイズ情報を記憶する記憶部とを備え、
前記原稿載置領域は複数の原稿サイズに対応して複数存在し、前記原稿載置領域表示部は、前記記憶部に記憶された原稿サイズ情報が示す原稿サイズに対応する前記原稿載置領域を表示することを特徴とする原稿読取装置。
【請求項２】
前記原稿載置面において前記原稿載置領域外に前記原稿の少なくとも一部が載置されたことを検出する原稿検出部を備え、
前記原稿載置領域表示部は、前記原稿検出部が前記原稿載置面において前記原稿載置領域外に前記原稿の少なくとも一部が載置されたことを検出したときに、前記表示光を発することを特徴とする請求項１に記載の原稿読取装置。
【請求項３】
前記原稿載置面を上方から覆う開閉可能な蓋部を備え、
前記原稿載置領域表示部は、前記蓋部が開いたときに、前記表示光を発することを特徴とする請求項１に記載の原稿読取装置。
【請求項４】
前記原稿載置領域は、前記原稿読取部の主走査方向に平行であり前記原稿載置面の外縁に接した第１の辺、前記原稿読取部の副走査方向に平行であり前記原稿載置面の外縁に接した第２の辺、前記主走査方向に平行であり前記原稿載置面の外縁から離間した第３の辺、および前記副走査方向に平行であり前記原稿載置面の外縁から離間した第４の辺を有する四角形状に形成され、
前記原稿載置領域表示部は、前記表示光を発することにより、前記原稿載置領域の第３の辺および第４の辺に沿ってそれぞれ伸長する線を前記原稿載置面内に表示することを特徴とする請求項１ないし３のいずれかに記載の原稿読取装置。
【請求項５】
前記原稿載置領域表示部は、
前記収容空間に配置された基板と、
前記基板において前記原稿載置面に対向する部分に設けられ、前記表示光を発する光源と、
前記収容空間において前記基板を前記原稿載置部に接近または離間させるように前記基板を昇降させる昇降機構とを備えていることを特徴とする請求項１ないし４のいずれかに記載の原稿読取装置。
【発明の詳細な説明】
【技術分野】
【０００１】
本発明は、原稿を光学的に読み取って原稿画像データを生成する原稿読取装置に関する。
【背景技術】
【０００２】
透明なガラス製または樹脂製の平板上に原稿を載置し、この平板の下方から原稿の表面に光を照射することにより原稿を走査し、原稿からの反射光を電気信号に変換して原稿画像データを生成する原稿読取装置は知られている。このような原稿読取装置は、上述した原稿読取機能を中心とした、いわゆるフラットベッドスキャナーとして製品化されているだけでなく、コピー機、ファクシミリ装置、複合機等に搭載され、広く普及している。例えば下記の特許文献１には、このような原稿読取装置が記載されている。
【先行技術文献】
【特許文献】
【０００３】
【特許文献１】特開２０１２−２５３６７２号公報
【発明の概要】
【発明が解決しようとする課題】
【０００４】
ところで、原稿読取装置は、透明なガラス製または樹脂製の平板の表面に形成された原稿載置面に載置された原稿を読み取る。原稿にはＡ５、Ｂ５、Ａ４、Ｂ４、Ａ３等の種々のサイズがあり、原稿読取装置の原稿載置面は、これら種々のサイズの原稿を読み取ることができるように、例えばＡ３サイズよりも大きい面積を有している。また、原稿読取装置では、原稿載置面上に原稿を載置する位置が決められている。例えば、利用者は、原稿の表面が原稿載置面に向かい合うように原稿を裏返して原稿載置面に載置するに当たり、原稿の表面を見たときの原稿の左上隅を原稿載置面の左上隅に合わせ、さらに、原稿の表面を見たときの原稿の左辺を原稿載置面の上辺に合わせると共に、原稿の表面を見たときの原稿の上辺を原稿載置面の左辺に合わせる。Ａ４サイズの原稿のように、原稿載置面の面積よりも小さい面積を有する原稿を原稿載置面に載置した場合には、当該原稿は原稿載置面の一部に載置されることとなるが、このようにして原稿を所定の位置に載置すれば、原稿読取装置は当該原稿を正しく読み取る。
【０００５】
ところが、原稿をこのような原稿載置面における所定の位置に載置することは必ずしも容易ではない。静電気や周囲の風等により原稿が所定の位置からずれてしまうことがある。そして、原稿が所定の位置からずれていることに気がつかないまま原稿の読取を原稿読取装置に実行させると、原稿読取装置は原稿を正しく読み取らない。このため、利用者は原稿が正しく読み取られるまで、原稿の位置を直しては読取を実行させるという作業を数回繰り返す。この結果、原稿を原稿読取装置に読み取らせる作業に時間がかかり、または、原稿読取装置が搭載された複合機等で原稿を用紙に印刷する場合には数枚の用紙が無駄になってしまうことがある。
【０００６】
また、原稿読取装置は種々のサイズの原稿を読み取る機能を備えており、このため、原稿読取装置は、読み取る原稿のサイズを設定する機能を備えている。利用者は、原稿の読取を原稿読取装置に実行させる前に、原稿のサイズを原稿読取装置に手動で設定する。なお、近時の原稿読取装置は、原稿載置面に載置された原稿のサイズを自動的に検出する機能を備えているものもあるが、このような原稿読取装置でも原稿のサイズを手動で設定する機能を有し、そのような機能が利用されることがある。
【０００７】
利用者は、原稿読取装置に対する原稿のサイズの設定を誤り、そのことに気がつかないまま原稿の読取を実行させてしまうことがある。この場合、原稿読取装置は原稿を正しく読み取らない。この結果、利用者は、原稿サイズの設定を正して原稿の読取をやり直さなければならず、作業効率が悪い。
【０００８】
一方、上記特許文献１には、原稿の読取前に、原稿載置面上に載置された原稿のプレビュー画像を表示部に表示する機能を備えた画像読取装置が記載されている。利用者はプレビュー画像を確認して原稿が正しい位置に載置されているか否かを確認することができ、原稿が正しい位置に載置されていない場合には、原稿の位置を修正することができる。しかしながら、このような装置においては、利用者は原稿が正しく位置に載置されるまで、プレビュー画像を確認しては原稿の位置を直すといった作業を数回繰り返し、このために原稿を読み取らせる作業に時間がかかることがある。また、原稿読取装置に対する原稿のサイズの設定を誤った場合、利用者は原稿を原稿載置面に載置した後に、プレビュー画面を確認することにより設定の誤りを知る。原稿のサイズの設定の誤りを知るまでに、利用者は、原稿を原稿載置画面に載置する作業と、プレビュー画面を確認する作業を経るため、作業効率が良くない。
【０００９】
本発明は例えば上述したような問題に鑑みなされたものであり、本発明の課題は、原稿を原稿載置面に載置する作業を利用者に正しく迅速に行わせることができ、原稿読取作業の作業性を高めることができる原稿読取装置を提供することにある。
【課題を解決するための手段】
【００１０】
上記課題を解決するために、本発明の原稿読取装置は、光透過性を有し、上面に原稿を載置する原稿載置面が形成された原稿載置部と、前記原稿載置部の外周部を支持し、前記原稿載置部の下方に収容空間を形成する収容部と、前記収容空間に設けられた原稿読取部と、前記原稿載置部の外周側または前記収容空間に設けられ、表示光を発することにより、前記原稿載置面内において前記原稿を載置する領域である原稿載置領域を表示する原稿載置領域表示部と、前記原稿読取部が読み取る前記原稿の原稿サイズを示す原稿サイズ情報を記憶する記憶部とを備え、前記原稿載置領域は複数の原稿サイズに対応して複数存在し、前記原稿載置領域表示部は、前記記憶部に記憶された原稿サイズ情報が示す原稿サイズに対応する前記原稿載置領域を表示することを特徴とする。
【００１１】
本発明のこの態様において、例えば、利用者は自己が原稿読取装置に読み取らせることを望む原稿の原稿サイズを原稿読取装置に設定する。これに応じて、原稿読取装置は、この原稿サイズを示す原稿サイズ情報を記憶部に記憶する。そして、原稿読取装置は、表示光を発することにより、記憶部に記憶された原稿サイズ情報が示す原稿サイズに対応する原稿載置領域を表示する。
【００１２】
利用者は表示光を見ることにより、原稿載置領域を容易に把握することができる。また、利用者は表示光を頼りにして原稿を原稿載置面上に正しくかつ迅速に載置することができる。また、利用者は原稿を原稿読取装置に読み取らせる前に表示光を見ることによって原稿載置領域を確認できるので、原稿を位置ずれした状態で原稿読取装置に読み取らせてしまうといった失敗を防止することができる。さらに、原稿読取装置に対する原稿サイズの設定を誤った場合には、利用者は、実際の原稿の大きさと、表示光により示される原稿載置領域の大きさをその場で比較することにより、その誤りを即座に認識することができる。それゆえ、原稿サイズの設定の誤りに気づかないまま原稿を原稿読取装置に読み取らせてしまうことを防止することができる。
【００１３】
また、上記本発明の原稿読取装置において、前記原稿載置面において前記原稿載置領域外に前記原稿の少なくとも一部が載置されたことを検出する原稿検出部を備え、前記原稿載置領域表示部は、前記原稿検出部が前記原稿載置面において前記原稿載置領域外に前記原稿の少なくとも一部が載置されたことを検出したときに、前記表示光を発することが望ましい。
【００１４】
本発明のこの態様によれば、利用者が原稿を原稿載置面に載置したとき、原稿が原稿載置領域からはみ出すと、表示光が発せられる。これにより、利用者は原稿の載置位置が正しくないことを即座にかつ明確に認識することができる。また、原稿が原稿載置領域からはみ出していないときには表示光を発しないので、表示光を発する時間を短くすることができ、消費電力を削減することができる。
【００１５】
また、上記本発明の原稿読取装置において、前記原稿載置面を上方から覆う開閉可能な蓋部を備え、前記原稿載置領域表示部は、前記蓋部が開いたときに、前記表示光を発することが望ましい。
【００１６】
本発明のこの態様によれば、利用者が原稿を原稿載置面に載置するために蓋部を開けたときに、表示光が発せられ、原稿載置領域を表示される。これにより、利用者は原稿を原稿載置面に載置する直前に原稿載置領域を認識することができる。したがって、利用者は、原稿を原稿載置面上に正しくかつ迅速に載置することができる。また、蓋部が閉じている間は表示光を発しないので、表示光を発する時間を短くすることができ、消費電力を削減することができる。
【００１７】
また、上記本発明の原稿読取装置において、前記原稿載置領域は、前記原稿読取部の主走査方向に平行であり前記原稿載置面の外縁に接した第１の辺、前記原稿読取部の副走査方向に平行であり前記原稿載置面の外縁に接した第２の辺、前記主走査方向に平行であり前記原稿載置面の外縁から離間した第３の辺、および前記副走査方向に平行であり前記原稿載置面の外縁から離間した第４の辺を有する四角形状に形成され、前記原稿載置領域表示部は、前記表示光を発することにより、前記原稿載置領域の第３の辺および第４の辺に沿ってそれぞれ伸長する線を前記原稿載置面内に表示することが望ましい。
【００１８】
本発明のこの態様によれば、表示光により原稿載置領域の第３の辺および第４の辺に沿ってそれぞれ伸長する線を表示することにより、原稿載置領域を明確に表示することができる。
【００１９】
また、上記本発明の原稿読取装置において、前記原稿載置領域表示部は、前記収容空間に配置された基板と、前記基板において前記原稿載置面に対向する部分に設けられ、前記表示光を発する光源と、前記収容空間において前記基板を前記原稿載置部に接近または離間させるように前記基板を昇降させる昇降機構とを備えていることが望ましい。
【００２０】
本発明のこの態様によれば、原稿載置部の下方の空間において、原稿載置領域表示部の基板を上下方向に移動させることで、原稿載置領域表示部と原稿読取部とが互いに干渉することを防止することができ、原稿載置領域表示部が原稿読取部の動作の妨げとなることを防ぐことができる。
【発明の効果】
【００２１】
本発明によれば、原稿を原稿載置面に載置する作業を利用者に正しく迅速に行わせることができ、原稿読取作業の作業性を高めることができる。
【図面の簡単な説明】
【００２２】
【図１】本発明の実施形態による原稿読取装置を搭載した複合機の外観を示す説明図である。
【図２】本発明の実施形態による原稿読取装置の断面を示す説明図である。
【図３】図２中の矢示ＩＩＩ−ＩＩＩ方向から見た本発明の実施形態による原稿読取装置を示す説明図である。
【図４】本発明の実施形態による原稿読取装置においてコンタクトガラスと原稿載置領域との位置関係を示す説明図である。
【図５】図２中の矢示Ｖ−Ｖ方向から見た本発明の実施形態による原稿読取装置を示す説明図である。
【図６】本発明の実施形態による原稿読取装置において原稿検出ユニットの動作を示す説明図である。
【図７】図２中の矢示ＶＩＩ−ＶＩＩ方向から見た本発明の実施形態による原稿読取装置を示す説明図である。
【図８】本発明の実施形態による原稿読取装置における原稿載置領域表示ユニットの昇降動作を示す説明図である。
【図９】本発明の実施形態による原稿読取装置における原稿載置領域表示ユニットの昇降機構の構造を示す説明図である。
【図１０】本発明の実施形態による原稿読取装置における原稿載置領域表示ユニットの領域表示モード時の動作を示す説明図である。
【図１１】本発明の実施形態による原稿読取装置における原稿載置領域表示ユニットの域外検出モード時の動作を示す説明図である。
【図１２】本発明の実施形態による原稿読取装置における原稿載置領域の表示に関する動作を示すフローチャートである。
【図１３】図１２中の領域表示処理の詳細を示すフローチャートである。
【図１４】図１２中の域外検出処理の詳細を示すフローチャートである。
【図１５】本発明の実施形態による原稿読取装置における原稿載置領域表示ユニットの変形例を示す説明図である。
【図１６】本発明の実施形態による原稿読取装置における原稿載置領域表示ユニットの他の変形例を示す説明図である。
【発明を実施するための形態】
【００２３】
（複合機の構成）
図１は本発明の実施形態による原稿読取装置が搭載された複合機を示している。図１に示す複合機１は、例えば、コピー機能、ファクリミリ機能、プリンター機能等の画像形成処理に関する複数の機能を備えた多機能型の画像形成装置である。複合機１は、複合機本体２を備え、複合機本体２の上部には、本発明の実施形態による原稿読取装置１１が設けられており、複合機本体２の上面には、原稿読取装置１１のコンタクトガラス１３の原稿載置面１４が配置されている。
【００２４】
また、複合機本体２において原稿読取装置１１の上方には蓋部１２が開閉可能に取り付けられている。蓋部１２が閉じた状態では、原稿載置面１４の全域が蓋部１２に覆われる。一方、蓋部１２が開いた状態では、図１に示すように、原稿載置面１４の全域が外部に露出する。また、図示しないが、複合機本体２には、蓋部１２の開閉を検出する開閉センサーが設けられている。例えば、当該開閉センサーは、蓋部１２が開いたときに開信号を出力し、蓋部１２が閉じたとき、開信号の出力を停止する。開信号は原稿読取装置１１の制御部７１に供給される。
【００２５】
また、複合機本体２の前部には、複合機１を利用者に操作させるための操作パネル３が設けられている。操作パネル３の操作により、原稿サイズの設定、変更、後述する原稿読取装置１１におけるモードの選択のほか、原稿読取装置１１の種々の動作を制御することができるようになっている。
【００２６】
（原稿読取装置の構成）
図２は原稿読取装置１１を示している。原稿読取装置１１は、原稿を光学的に読み取って原稿画像データを生成する装置である。原稿読取装置１１の上部には原稿載置部としてのコンタクトガラス１３が設けられている。コンタクトガラス１３は、光透過性を有する四角形状のガラス板である。コンタクトガラス１３の平らな上面には、原稿を載置する原稿載置面１４が形成されている。
【００２７】
また、原稿読取装置１１は、コンタクトガラス１３の外周部を支持すると共に、後述する原稿読取ユニット３１および原稿載置領域表示ユニット５１を収容する収容部１５を備えている。収容部１５は、複合機本体２の上部に組み込まれている。収容部１５は略箱型に形成されており、また、収容部１５の上壁部には原稿載置面１４の形状に対応する四角形状の穴が形成され、この穴に対応するようにコンタクトガラス１３が取り付けられている。コンタクトガラス１３の下方に位置する収容部１５の内部には収容空間が形成され、この収容空間に、原稿読取ユニット３１および原稿載置領域表示ユニット５１が収容されている。
【００２８】
また、収容部１５の上面上にはセンサーカバー１６が設けられている。センサーカバー１６は、収容部１５の上面上であってコンタクトガラス１３の外周側に設けられた原稿検出ユニット（発光素子２１Ａないし２１Ｈおよび受光素子２２Ａないし２２Ｈ）を覆うカバーである。センサーカバー１６は、下部が開口した中空の直方体に形成されている。また、センサーカバー１６の上壁部には、原稿載置面１４と一致する形状および面積を有する四角形状の穴１６Ａが形成されており、蓋部１２が開いた状態ではこの穴１６Ａを通じて原稿載置面１４の全域が外部に露出する。なお、原稿検出ユニットを構成する発光素子２１Ａないし２１Ｈおよび受光素子２２Ａないし２２Ｈは極めて小型であるため、それを覆うためのセンサーカバー１６の上下方向の寸法は極めて小さい（図２では説明の便宜上、センサーカバー１６の上下方向の寸法を大きくして描いている）。したがって、センサーカバー１６が原稿載置面１４への原稿の載置の邪魔になることはない。
【００２９】
（原稿載置領域）
図３は、原稿読取装置１１を図２中の矢示ＩＩＩ−ＩＩＩ方向から見た図であり、すなわち、原稿読取装置１１の上面を示している。図３中の二点鎖線で示すように、コンタクトガラス１３の原稿載置面１４内には、複数の原稿サイズにそれぞれ対応する複数の原稿載置領域が設定されている。本実施形態では、説明の便宜上、Ｂ５、Ａ４、Ｂ４およびＡ３の原稿サイズにそれぞれ対応する４つの原稿載置領域Ｒ１、Ｒ２、Ｒ３、Ｒ４が設定されていることとする。各原稿載置領域Ｒ１、Ｒ２、Ｒ３、Ｒ４は、対応する原稿サイズの原稿と一致する形状および面積を有している。また、各原稿載置領域Ｒ１、Ｒ２、Ｒ３、Ｒ４の左上の隅部が原稿載置面１４の左上の隅部に配置されている。この原稿載置面１４の左上の隅部には、原稿を載置する際の位置決めの基準となる載置基準点Ｐが置かれている。
【００３０】
図４中の二点鎖線は、Ａ４の原稿サイズに対応する原稿載置領域Ｒ２を示している。図４に示すように、原稿載置領域Ｒ２は、主走査方向Ｘに平行であり、原稿載置面１４の外縁に接した第１の辺Ｋ１、副走査方向Ｙに平行であり原稿載置面１４の外縁に接した第２の辺Ｋ２、主走査方向Ｘに平行であり、原稿載置面１４の外縁から離間した第３の辺Ｋ３、および副走査方向Ｙに平行であり、原稿載置面１４の外縁から離間した第４の辺Ｋ４を有する四角形状に形成されている。他の原稿サイズに対応する原稿載置領域Ｒ１、Ｒ３、Ｒ４も同様に形成されている。
【００３１】
原稿を横置きにして原稿読取装置１１に読み取らせるに当たり、利用者は、原稿の表面が原稿載置面１４に向かい合うように原稿を裏返して原稿載置面１４に載置する。その際、原稿の表面を見たときの原稿の左上の隅部を原稿載置面１４の左上の隅部、すなわち載置基準点Ｐに合わせる。また、原稿の表面を見たときの原稿の左辺を原稿載置面１４の上辺に合わせると共に、原稿の表面を見たときの原稿の上辺を原稿載置面１４の左辺に合わせる。原稿が原稿載置面１４上のこのような位置に載置され、かつその原稿の実際の原稿サイズと、原稿読取装置１１に設定された原稿サイズとが一致している場合、原稿が原稿載置領域内に正しく載置されたこととなる。この場合、原稿読取装置１１はその原稿を正しく読み取る。
【００３２】
（原稿検出ユニット）
図５は、原稿読取装置１１を図２中の矢示Ｖ−Ｖ方向から見た図であり、すなわち、原稿読取装置１１の上方からセンサーカバー１６の内部を見た図である。図６（ａ）は、原稿読取装置１１の原稿検出ユニットの一部を図５中の矢示ＶＩ−ＶＩ方向から見た図であり、図６（ｂ）は当該原稿検出ユニットにより原稿を検出する動作を示す図である。図５に示すように、収容部１５の上面上であって、原稿載置面１４の外周側には、複数の原稿検出ユニットが設けられている。各原稿検出ユニットは、原稿載置面１４において原稿載置領域外に原稿の少なくとも一部が載置されたことを検出するユニットである。原稿検出ユニットの個数は、原稿サイズの個数、すなわち原稿載置領域の個数と同じであり、本実施形態においては４つである。なお、原稿検出ユニットは原稿検出部の具体例である。
【００３３】
第１の原稿検出ユニットは、Ｂ５の原稿サイズが設定されているとき、原稿載置面１４においてＢ５の原稿サイズに対応する原稿載置領域Ｒ１外に、原稿の少なくとも一部が載置されたことを検出するユニットである。第１の原稿検出ユニットは、発光素子２１Ａおよび受光素子２２Ａのセットと、発光素子２１Ｂおよび受光素子２２Ｂのセットを備えている。一方のセットの発光素子２１Ａおよび受光素子２２Ａは、発光素子２１Ａから発せられたレーザー光を受光素子２２Ａが受光するように、互いに対向する位置に配置されている。発光素子２１Ａから発せられたレーザー光を受光素子２２Ａが受光したとき、受光素子２２Ａは原稿検知信号を出力する。一方、発光素子２１Ａから発せられたレーザー光を受光素子２２Ａが受光していない間は、受光素子２２Ａは原稿検知信号を出力しない。他方のセットの発光素子２１Ｂおよび受光素子２２Ｂについても同様である。原稿検知信号は制御部７１に供給される。
【００３４】
第１の原稿検出ユニットにおいて、一方のセットの発光素子２１Ａおよび受光素子２２Ａは、Ｂ５の原稿サイズに対応する原稿載置領域Ｒ１の第３の辺（主走査方向Ｘに平行であり、原稿載置面１４の外縁から離間した辺）を超えて原稿載置領域Ｒ１外へ副走査方向Ｙにはみ出した原稿を検出する。これを実現するために、発光素子２１Ａおよび受光素子２２Ａは、図５において破線で示すように、Ｂ５の原稿サイズに対応する原稿載置領域Ｒ１の第３の辺をわずかに超えた位置をレーザー光が通過するように配置されている。また、発光素子２１Ａおよび受光素子２２Ａは、図６（ａ）において破線で示すように、レーザー光が原稿載置面１４の僅かに上方を通過するように配置されている。図６（ｂ）に示すように、原稿載置面１４上に載置された原稿ＭがＢ５の原稿サイズに対応する原稿載置領域Ｒ１の第３の辺を超えたとき、当該原稿Ｍによりレーザー光が遮られる。この結果、発光素子２１Ａから発せられたレーザー光を受光素子２２Ａが受光しなくなる。
【００３５】
また、第１の原稿検出ユニットにおいて、他方のセットの発光素子２１Ｂおよび受光素子２２Ｂは、Ｂ５の原稿サイズに対応する原稿載置領域Ｒ１の第４の辺（副走査方向Ｙに平行であり、原稿載置面１４の外縁から離間した辺）を超えて原稿載置領域Ｒ１外へ主走査方向Ｘにはみ出した原稿を検出する。これを実現するために、発光素子２１Ｂおよび受光素子２２Ｂは、図５において破線で示すように、Ｂ５の原稿サイズに対応する原稿載置領域Ｒ１の第４の辺をわずかに超えた位置をレーザー光が通過するように配置されている。また、発光素子２１Ｂおよび受光素子２２Ｂは、図６（ａ）に示す発光素子２１Ａおよび受光素子２２Ａと同様に、レーザー光が原稿載置面１４の僅かに上方を通過するように配置されている。原稿載置面１４上に載置された原稿がＢ５の原稿サイズに対応する原稿載置領域Ｒ１の第４の辺を超えたとき、当該原稿によりレーザー光が遮られ、この結果、発光素子２１Ｂから発せられたレーザー光を受光素子２２Ｂが受光しなくなる。
【００３６】
第２の原稿検出ユニットは、Ａ４の原稿サイズが設定されているとき、原稿載置面１４においてＡ４の原稿サイズに対応する原稿載置領域Ｒ２外に、原稿の少なくとも一部が載置されたことを検出するユニットである。第２の原稿検出ユニットは、発光素子２１Ｃおよび受光素子２２Ｃのセットと、発光素子２１Ｄおよび受光素子２２Ｄのセットを備えている。第３の原稿検出ユニットは、Ｂ４の原稿サイズが設定されているとき、原稿載置面１４においてＢ４の原稿サイズに対応する原稿載置領域Ｒ３外に、原稿の少なくとも一部が載置されたことを検出するユニットである。第３の原稿検出ユニットは、発光素子２１Ｅおよび受光素子２２Ｅのセットと、発光素子２１Ｆおよび受光素子２２Ｆのセットを備えている。第４の原稿検出ユニットは、Ａ３の原稿サイズが設定されているとき、原稿載置面１４においてＡ３の原稿サイズに対応する原稿載置領域Ｒ４外に、原稿の少なくとも一部が載置されたことを検出するユニットである。第４の原稿検出ユニットは、発光素子２１Ｇおよび受光素子２２Ｇのセットと、発光素子２１Ｈおよび受光素子２２Ｈのセットを備えている。第２、第３および第４の原稿検出ユニットにおける発行素子２１Ｃないし２１Ｈ、および受光素子２２Ｃないし２２Ｈの構成、動作、および原稿載置領域Ｒ２、Ｒ３、Ｒ４（原稿載置面１４）との配置関係は、第１の原稿検出ユニットにおける発行素子２１Ａ、２１Ｂおよび受光素子２２Ａ、２２Ｂの構成、動作、および原稿載置領域Ｒ１（原稿載置面１４）との配置関係と同様である。
【００３７】
（原稿読取ユニット）
図７は、原稿読取装置１１を図２中の矢示ＶＩＩ−ＶＩＩ方向から見た図であり、すなわち、原稿読取装置１１の上方から収容部１５の内部を見た図である。図７に示すように、収容部１５内には原稿読取ユニット３１が設けられている。原稿読取ユニット３１は、原稿載置面１４上に載置された原稿の表面に読取光を照射して原稿の表面を走査することにより原稿を読み取るユニットである。なお、原稿読取ユニット３１は原稿読取部の具体例である。
【００３８】
原稿読取ユニット３１は、原稿載置面１４に載置された原稿の表面に読取光を照射する読取光照射部３３と、原稿の表面からの読取光の反射光を反射させる第１のミラー３４とを有する照射ユニット３２を備えている。読取光照射部３３には、複数の読取光源（例えば発光ダイオード）３５が設けられており、これら読取光源３５は主走査方向Ｘと平行に配列され、また、主走査方向Ｘにおいて原稿載置面１４の全長に亘って配列されている。また、原稿読取ユニット３１は、第１のミラー３４から反射された反射光を反射させる第２のミラー３７と、第２のミラー３７から反射された反射光を反射させる第３のミラー３８（図２参照）とを有するミラーユニット３６を備えている。さらに、原稿読取ユニット３１は、第３のミラー３８から反射された反射光を結像させる結像レンズ３９と、結像レンズ３９が結像させた像を電気信号に変換する撮像素子（例えばＣＣＤ）４０を備えている。撮像素子４０により変換された像の電気信号により原稿画像データが生成される。また、原稿読取ユニット３１は、照射ユニット３２およびミラーユニット３６を副走査方向Ｙに移動させる移動制御機構を備えている。移動制御機構は、案内レール４１、プーリー４２、４３、ワイヤー４４、４５、および図示しない駆動モータ等を備えている。
【００３９】
原稿の読取を実行しない間は、照射ユニット３２およびミラーユニット３６は、後述する原稿載置領域表示ユニット５１における昇降する基板５２と干渉しないように、収容部１５の左端部に移動している。本実施形態においては、図２に示すように、原稿の読取を実行しない間、照射ユニット３２およびミラーユニット３６は、コンタクトガラス３１の下方から外れた位置まで移動している。また、結像レンズ３９および撮像素子４０の配置は、原稿の読取を実行するときに、原稿の表面から反射した反射光の光路が原稿載置領域表示ユニット５１により妨げられることのないように設定されている。また、移動制御機構は、原稿載置領域表示ユニット５１における昇降する基板５２と干渉しない位置に配置されている。
【００４０】
（原稿載置領域表示ユニット）
一方、図７に示すように、収容部１５内には、原稿載置領域表示ユニット５１が設けられている。原稿載置領域表示ユニット５１は、表示光を発することにより、原稿載置領域を表示するユニットである。すなわち、原稿載置領域表示ユニット５１は、記憶部７２に記憶された原稿サイズ情報に基づいて表示光を発する位置を設定または変更することにより、当該原稿サイズ情報が示す原稿サイズに対応する原稿載置領域を表示する。なお、原稿載置領域表示ユニットは原稿載置領域表示部の具体例である。
【００４１】
原稿載置領域表示ユニット５１は、収容部１５内（収容空間）に配置された基板５２と、表示光を発する複数の表示光源５３とを備えている。基板５２は、コンタクトガラス１３の下方に配置されている。コンタクトガラス１３を上方から見たとき、基板５２は、コンタクトガラス１３の原稿載置面１４と対応する位置に配置されている。また、上方から見たとき、基板５２は四角形状に形成され、基板５２の上面は、原稿載置面１４に設定されている最大の原稿載置領域Ｒ４の面積以上の面積を有している。
【００４２】
各表示光源５３は、基板５２において原稿載置面１４に対向する部分、すなわち基板５２の上面に設けられている。複数の表示光源５３は複数の表示光源配列を形成するように配置されている。基板５２上には、原稿載置領域の個数に対応する個数の表示光源配列が形成されている。本実施形態では、説明の便宜上、４つの表示光源配列５５、５６、５７、５８が形成されていることとする。
【００４３】
各表示光源配列５５、５６、５７、５８は、表示光を発することにより、原稿載置領域Ｒ１、Ｒ２、Ｒ３、Ｒ４の第３の辺（主走査方向Ｘに平行であり、原稿載置面１４の外縁から離間した辺）および第４の辺（副走査方向Ｙに平行であり、原稿載置面１４の外縁から離間した辺）に沿ってそれぞれ伸長する線を原稿載置面１４内に表示する。これを実現するために、各表示光源配列５５、５６、５７、５８において、複数の表示光源５３は、原稿載置領域Ｒ１、Ｒ２、Ｒ３、Ｒ４の第３の辺および第４の辺に沿ってそれぞれ伸長する線を形成するように配列されている。図３と図７とを比較するとわかる通り、コンタクトガラス１３を上方から見たとき、各表示光源配列５５、５６、５７、５８における表示光源５３の配列は、原稿載置領域Ｒ１、Ｒ２、Ｒ３、Ｒ４の第３の辺および第４の辺と一致する。この結果、各表示光源配列５５、５６、５７、５８における表示光源５３の配列はＬ字状である。各表示光源配列５５、５６、５７、５８において、複数の表示光源５３は、第３の辺の一方の端から他方の端に至るまで一定の間隔をもって配置され、また、第４の辺の一方の端から他方の端に至るまで一定の間隔をもって配置されている。互いの隣り合う表示光源５３の間隔は、原稿載置面１４内に光のラインを描くことができる程度の小さい間隔に設定されている。
【００４４】
具体的には、第１の表示光源配列５５における表示光源５３は、Ｂ５の原稿サイズに対応する原稿載置領域Ｒ１の第３の辺および第４の辺に沿ってそれぞれ伸長する線を形成するように配列されている。第２の表示光源配列５６における表示光源５３は、Ａ４の原稿サイズに対応する原稿載置領域Ｒ２の第３の辺および第４の辺に沿ってそれぞれ伸長する線を形成するように配列されている。第３の表示光源配列５７における表示光源５３は、Ｂ４の原稿サイズに対応する原稿載置領域Ｒ３の第３の辺および第４の辺に沿ってそれぞれ伸長する線を形成するように配列されている。第４の表示光源配列５８における表示光源５３は、Ａ３の原稿サイズに対応する原稿載置領域Ｒ４の第３の辺および第４の辺に沿ってそれぞれ伸長する線を形成するように配列されている。
【００４５】
各表示光源配列５５、５６、５７、５８によれば、表示光を発することにより、原稿載置領域Ｒ１、Ｒ２、Ｒ３、Ｒ４の第３の辺および第４の辺、すなわち、原稿載置領域Ｒ１、Ｒ２、Ｒ３、Ｒ４の内外の境界線に沿ってそれぞれ伸長する線を原稿載置面１４内に表示することで、原稿載置領域Ｒ１、Ｒ２、Ｒ３、Ｒ４を利用者に明確に把握させることができる。
【００４６】
また、原稿載置領域表示ユニット５１は、収容部１５が形成する収容空間において、基板５２をコンタクトガラス１３に接近または離間させるように、基板５２を昇降させる昇降機構５９を備えている。ここで、図８は昇降機構５９により基板５２がコンタクトガラス１３に接近した状態を示している。図８と図２とを比較するとわかる通り、昇降機構５９により基板５２は上下方向に移動する。また、図９は、昇降機構５９の構造の一例を示している。昇降機構５９は、例えば、収容部１５内に、複数のプーリー６０を設け、上下方向に対向するように配置された一対のプーリー６０にワイヤー６１を掛け渡し、各ワイヤー６１に基板５２の一部を固定することにより構成されている。図示しないが、原稿読取装置１１にはプーリー６０を回転させるための駆動モータが設けられている。
【００４７】
昇降機構５９は、原稿の読取が行われていない期間、基板５２をコンタクトガラス１３に接近した位置へ配置し、原稿の読取が行われている期間、基板５２をコンタクトガラス１３から離間した位置へ配置する。原稿の読取が行われていない期間においては、昇降機構５９は、表示光源５３による表示光が原稿載置面１４に明確に表示されるように、基板５２と共に表示光源５３をコンタクトガラス１３に接近させる。一方、原稿の読取が行われている期間においては、昇降機構５９は、基板５２が、原稿読取ユニット３１の照射ユニット３２およびミラーユニット３６の移動の妨げとならないように、かつ、原稿の表面から反射した読取光の反射光の光路を遮らないように、基板５２を収容部１５の下部に移動させる。
【００４８】
また、原稿読取装置１１は、図２に示すように、制御部７１および記憶部７２を備えている。記憶部７２はメモリ等を備え、記憶部７２には、利用者が操作パネル３を操作して入力、設定した原稿サイズを示す原稿サイズ情報が記憶される。制御部７１は、例えばＣＰＵ（中央演算処理装置）等を備え、記憶部７２に記憶された原稿サイズ情報に基づいて、原稿載置領域Ｒ１、Ｒ２、Ｒ３、Ｒ４のうち、原稿サイズ情報が示す原稿サイズに対応する原稿載置領域を認識し、当該認識した原稿載置領域に対応する原稿検出ユニット（発光素子２１Ａないし２１Ｈおよび受光素子２２Ａないし２２Ｈ）および表示光源５３を制御する。
【００４９】
（原稿載置領域の表示方法）
図１０および図１１は原稿載置領域表示ユニット５１による原稿載置領域Ｒ１、Ｒ２、Ｒ３、Ｒ４の２通りの表示方法を示している。原稿読取装置１１において、表示光により原稿載置領域Ｒ１、Ｒ２、Ｒ３、Ｒ４を表示する方法または態様には、領域表示モードと域外検出モードがある。利用者は操作パネル３を操作することにより、領域表示モードおよび域外検出モード、さらには表示光により原稿載置領域Ｒ１、Ｒ２、Ｒ３、Ｒ４の表示を行わないモード（非表示モード）を選択することができる。
【００５０】
利用者が領域表示モードを選択した場合、原稿載置領域表示ユニット５１は、図１０に示すように、蓋部１２が開いたときに、利用者が設定した原稿サイズに応じて選択された原稿載置領域を表示する表示光Ｌを発する。
【００５１】
一方、利用者が域外検出モードを選択した場合、原稿載置領域表示ユニット５１は、図１１に示すように、利用者が設定した原稿サイズに応じて選択された原稿検出ユニットが、原稿載置面１４において利用者が設定した原稿サイズに応じて選択された原稿載置領域外に原稿Ｍの少なくとも一部が載置されたことを検出したときに、当該原稿載置領域を表示する表示光Ｌを発する。なお、図１１に示すように、原稿載置領域に対して原稿Ｍが位置ずれしている場合には、コンタクトガラス１３を上方から見て表示光源配列と原稿Ｍとが重なっていない部分が形成され、その部分おいて表示光Ｌが通過する。したがって、利用者は、この表示光Ｌにより、原稿載置領域を確認することができ、または原稿Ｍの位置ずれを認識することができる。また、原稿載置領域に対して原稿Ｍが位置ずれしている場合には、コンタクトガラス１３を上方から見て表示光源配列と原稿Ｍとが重なる部分が形成される。原稿Ｍが薄い紙である場合には、表示光源配列と原稿Ｍとが重なる部分においても、原稿Ｍを透けて見える表示光Ｌにより、利用者は原稿載置領域を確認することができ、または原稿Ｍが原稿載置領域からはみ出していることを認識することができる。
【００５２】
（原稿載置領域の表示動作）
図１２は、原稿読取装置１１よる原稿載置領域Ｒ１、Ｒ２、Ｒ３、Ｒ４の表示に関する動作を示している。図１２において、利用者は、原稿読取装置１１により原稿の読取を行う前に、操作パネル３を操作して、原稿サイズの設定を行う。原稿読取装置１１または複合機１は、利用者が設定した原稿サイズを示す原稿サイズ情報を記憶部７２に記憶する（ステップＳ１）。なお、利用者は原稿サイズの設定を省略することができる。この場合には、原稿サイズのデフォルト設定（例えばＡ４）が維持される。
【００５３】
続いて、利用者は、操作パネル３を操作して、上述した領域表示モード、域外検出モードおよび非表示モードの中から所望のモードを選択する。原稿読取装置１１または複合機１は、利用者の選択したモードを設定する（ステップＳ２）。なお、利用者はモードの選択を省略することができる。この場合には、モードのデフォルト設定（例えば領域表示モード）が維持される。
【００５４】
続いて、原稿読取装置１１の制御部７１は、ステップＳ２で設定されたモードに対応する処理を選択して実行する。すなわち、領域表示モードが設定された場合には、制御部７１は、領域表示処理を選択して実行する（ステップＳ３、Ｓ４）。一方、域外検出モードが設定された場合には、制御部７１は、域外検出処理を選択して実行する（ステップＳ３、Ｓ５）。他方、非表示モードが設定された場合には、制御部は、領域表示処理も域外検出処理も実行しない。
【００５５】
図１３は、図１２中のステップＳ４で実行される領域表示処理を示している。領域表示処理において、原稿読取装置１１の制御部７１は、まず、原稿載置領域Ｒ１、Ｒ２、Ｒ３、Ｒ４の中から、記憶部７２に記憶された原稿サイズ情報が示す原稿サイズに対応する原稿載置領域を認識し、さらに、表示光源配列５５、５６、５７、５８の中から、認識した原稿載置領域に対応する表示光源配列を選択する（ステップＳ１１）。続いて、制御部７１は、蓋部１２の開閉を検出する上述した開閉センサーからの開信号の出力の有無に基づいて、蓋部１２の開閉状態を認識する。開閉センサーから開信号が出力された場合には、制御部７１は蓋部１２が開いたことを認識し（ステップＳ１２：ＹＥＳ）、ステップＳ１１で選択した表示光源配列の各表示光源５３を点灯させる（ステップＳ１３）。なお、このとき、当該各表示光源５３がすでに点灯状態である場合にはその状態を維持する。一方、開閉センサーから開信号が出力されていない場合には、制御部７１は蓋部１２が閉じたことを認識し（ステップＳ１２：ＮＯ）、ステップＳ１１で選択した表示光源配列の各表示光源５３を消灯させる（ステップＳ１４）。なお、このとき、当該各表示光源５３がすでに消灯状態である場合にはその状態を維持する。続いて、制御部７１は、領域表示処理を終了すべきか否かを判断する（ステップＳ１５）。例えば、原稿読取ユニット３１による原稿の読取が開始されたとき、制御部７１は、領域表示処理を終了すべきと判断する。制御部７１は、ステップＳ１５で領域表示処理を終了すべきと判断するまで、ステップＳ１２、Ｓ１３、またはステップＳ１２、Ｓ１４の処理を繰り返し実行する。
【００５６】
領域表示処理により、利用者が蓋部１２を開けたとき、表示光が発せられ、利用者が設定した原稿サイズに対応する原稿載置領域が表示光により表示される。一方、利用者が蓋部１２を閉じたとき、表示光が消える。原稿を原稿載置面に置くために蓋部１２を開けたときに表示光により原稿載置領域を把握することができるので、利用者は、原稿を原稿載置領域に素早くかつ正しく載置することができる。したがって、利用者が原稿の読取の位置ずれにより原稿の読取を失敗することを防止することができる。また、利用者は、表示光を見ることにより、現在設定される原稿サイズを認識することができるので、原稿サイズの設定を誤った場合にはそのことを即座に知ることができ、原稿の読取を実行する前に、原稿サイズの設定を修正することができる。このように、原稿読取装置１１の領域表示処理によれば、利用者による原稿読取作業の作業性を高めることができる。また、蓋部１２が閉じているときには各表示光源５３を消灯するので、消費電力を削減することができる。
【００５７】
一方、図１４は、図１２中のステップＳ５で実行される域外検出処理を示している。域外検出処理において、原稿読取装置１１の制御部７１は、まず、原稿載置領域Ｒ１、Ｒ２、Ｒ３、Ｒ４の中から、記憶部７２に記憶された原稿サイズ情報が示す原稿サイズに対応する原稿載置領域を認識し、原稿検出ユニット（発光素子２１Ａないし２１Ｈおよび受光素子２２Ａないし２２Ｈ）の中から、認識した原稿載置領域に対応する原稿検出ユニットを選択し、さらに、表示光源配列５５、５６、５７、５８の中から、認識した原稿載置領域に対応する表示光源配列を選択する（ステップＳ２１）。続いて、制御部７１は、選択した原稿検出ユニットの受光素子からの原稿検出信号の出力の有無に基づいて、記憶部７２に記憶された原稿サイズ情報が示す原稿サイズに対応する原稿載置領域外に原稿が載置されたか否か、すなわち、原稿載置面１４に載置された原稿が原稿載置領域からはみ出したか否かを認識する（ステップＳ２２）。原稿検出信号が出力された場合には、制御部７１は、原稿載置面１４に載置された原稿が原稿載置領域からはみ出したことを認識し（ステップＳ２２：ＹＥＳ）、ステップＳ２１で選択した表示光源配列の各表示光源５３を点灯させる（ステップＳ２３）。なお、このとき、当該各表示光源５３がすでに点灯状態である場合にはその状態を維持する。一方、原稿検出信号が出力されない場合には、制御部７１は、原稿載置面１４に載置された原稿が原稿載置領域からはみ出していないこと、すなわち、原稿が原稿載置領域内に正しく載置されたことを認識し（ステップＳ２２：ＮＯ）、ステップＳ１１で選択した表示光源配列の各表示光源５３を消灯させる（ステップＳ２４）。なお、このとき、当該各表示光源５３がすでに消灯状態である場合にはその状態を維持する。続いて、制御部７１は、域外検出処理を終了べきか否かを判断する（ステップＳ２５）。例えば、原稿読取ユニット３１による原稿の読取が開始されたとき、制御部７１は、領域表示処理を終了すべきと判断する。制御部７１は、ステップＳ２５で領域表示処理を終了すべきと判断するまで、ステップＳ２２、Ｓ２３、またはステップＳ２２、Ｓ２４の処理を繰り返し実行する。
【００５８】
域外検出処理により、利用者が原稿を原稿載置領域内に正しく載置しなかった場合には、表示光が発せられ、利用者が設定した原稿サイズに対応する原稿載置領域が表示光により表示される。一方、利用者が原稿を原稿載置部領域内に正しく載置した場合には、表示光が消える。原稿載置面１４において、原稿読取装置１１が原稿を正しく読み取らないおそれのある誤った位置に原稿を載置した場合に表示光が発せられるので、利用者は、原稿を誤った位置に載置したことを直ちに認識することができる。また、原稿を原稿載置領域からはみ出した状態で載置した場合には、載置された原稿と表示光との位置関係を把握することにより、原稿のどの部分が原稿載置領域からはみ出しているのか、または原稿が原稿載置領域に対してどのような方向に位置ずれしているのかを即座に知ることができる。これにより、利用者は原稿の位置を容易に正すことができる。したがって、原稿の読取位置がずれることによる原稿読取の失敗を防止することができ、原稿読取作業の効率化を図ることができる。また、原稿が正しく載置された場合に表示光を消すことにより、原稿が正しく載置されたことを利用者に把握させることができる。また、原稿が正しく載置された場合には各表示光源５３を消灯するので、消費電力を削減することができる。
【００５９】
なお、上述した実施形態では、原稿載置領域表示ユニット５１において、原稿載置領域Ｒ１、Ｒ２、Ｒ３、Ｒ４を表示する表示光を、基板５２上に複数の表示光源５３を並べた表示光源配列５５、５６、５７、５８により形成する場合を例にあげたが、本発明はこれに限らない。例えば、図１５に示す原稿載置領域表示ユニット１０１のように、原稿載置領域を表示する表示光を、Ｌ字状に屈曲させた導光管１１１、１１２、１１３、１１４を基板５２上に配置することにより形成してもよい。これら導光管に代え、導光板または導光チューブを採用することもできる。
【００６０】
また、表示光源５３を基板５２上にＬ字状に配列するのではなく、基板５２の上面の全域を埋め尽くすように複数の表示光源５３を配置し、原稿サイズ情報に基づいて一部の表示光源を点灯させ、Ｌ字状のパターンを形成してもよい。また、表示光源配列を、主走査方向Ｘに平行な１本の表示光源配列と、副走査方向Ｙに平行な１本の表示光源配列のみとし、原稿サイズ情報に基づいてこれら一対の表示光源配列を収容部１５内において移動させ、原稿サイズ情報が示す原稿サイズに対応する原稿載置領域を表示するようにしてもよい。また、原稿載置領域の第３の辺、すなわち、主走査方向Ｘに平行であり、原稿載置面１４の外縁から離間した辺に沿った光を、原稿読取ユニット３１の照射ユニット３２における読取光照射部３３により形成するようにしてもよい。また、図１６に示す原稿読取装置１２１の原稿載置領域表示ユニットのように、表示光源５３をコンタクトガラス１３の外周側に設け、利用者が設定した原稿サイズに応じた原稿載置領域に対応する表示光源を点灯させてもよい。
【００６１】
また、上述した実施形態では、Ｂ５、Ａ４、Ｂ４、Ａ３の原稿サイズに対応する原稿載置領域を表示する場合を例にあげたが、他の原稿サイズに対応する原稿載置領域を表示してもよい。また、上述した実施形態では、原稿載置面に横置きされる原稿の原稿載置領域を表示する場合を例にあげたが、原稿載置面に縦置きされる原稿の原稿載置領域を表示してもよい。
【００６２】
また、上述した実施形態では、原稿読取ユニット３１の原稿読取方式として、図２に示すように、ＣＣＤ方式を採用している。しかし、原稿読取ユニットの原稿読取方式は、原稿載置領域表示ユニット５１との干渉を避けることができれば、ＣＩＳ（Ｃｏｎｔａｃｔ  Ｉｍａｇｅ  Ｓｅｎｓｏｒ）方式を採用してもよい。
【００６３】
また、昇降機構５９を設けなくても原稿読取ユニットと原稿載置領域表示ユニットとの干渉を防止することができる場合には、昇降機構５９を取り除いてもよい。
【００６４】
また、上述した実施形態は、複合機１に搭載された原稿読取装置１１を例にあげたが、本発明は、コピー機やファクシミリ装置に搭載された原稿読取装置にも適用することができ、または、イメージスキャナー等の原稿読取専用の原稿読取装置にも適用することができる。
【００６５】
また、本発明は、請求の範囲および明細書全体から読み取ることのできる発明の要旨または思想に反しない範囲で適宜変更可能であり、そのような変更を伴う原稿読取装置もまた本発明の技術思想に含まれる。
【符号の説明】
【００６６】
１１、１２１  原稿読取装置
１２  蓋部
１３  コンタクトガラス（原稿載置部）
１４  原稿載置面
１５  収容部
１６  センサーカバー
２１Ａ、２１Ｂ、２１Ｃ、２１Ｄ、２１Ｅ、２１Ｆ、２１Ｇ、２１Ｈ  発光素子（原稿検出部）
２２Ａ、２２Ｂ、２２Ｃ、２２Ｄ、２２Ｅ、２２Ｆ、２２Ｇ、２２Ｈ  受光素子（原稿検出部）
３１  原稿読取ユニット（原稿読取部）
５１、１０１  原稿載置領域表示ユニット（原稿載置領域表示部）
５２  基板
５３  表示光源
５５、５６、５７、５８  表示光源配列
５９  昇降機構
７１  制御部
７２  記憶部
１１１、１１２、１１３、１１４  導光管
Ｒ１、Ｒ２、Ｒ３、Ｒ４  原稿載置領域
Ｋ１、Ｋ２、Ｋ３、Ｋ４  辺
【図１】
2016219953.tif 000003
【図２】
2016219953.tif 000004
【図３】
2016219953.tif 000005
【図４】
2016219953.tif 000006
【図５】
2016219953.tif 000007
【図６】
2016219953.tif 000008
【図７】
2016219953.tif 000009
【図８】
2016219953.tif 000010
【図９】
2016219953.tif 000011
【図１０】
2016219953.tif 000012
【図１１】
2016219953.tif 000013
【図１２】
2016219953.tif 000014
【図１３】
2016219953.tif 000015
【図１４】
2016219953.tif 000016
【図１５】
2016219953.tif 000017
【図１６】
2016219953.tif 000018